(57)【特許請求の範囲】
【請求項１】
先端部に観察窓を設けた観察光学系を内蔵した細長の挿入部及び前記挿入部の手元側に連結した操作部とを有する内視鏡本体と、
前記挿入部の外表面に沿って着脱可能に装着されるものであって、装着状態において前記挿入部と共に被覆チューブによって被覆され、かつ、前記被覆チューブから手元側へ引き抜くことで前記被覆チューブに径の異なる別のそれを被覆チューブの手元側から挿入して装着することを可能とする処置具挿入チャンネルとしての挿入部側チャンネルと、
前記別の挿入部側チャンネルを含めて、前記挿入部側チャンネルの手元側端部が着脱可能に装着される第１の分岐管路と、一端側が前記第１の分岐管路に連通すると共に他端側には処置具挿入口が設けてある第２の分岐管路と、一端側が前記第１の分岐管路に連通すると共に他端側には吸引源との接続部が設けてある第３の分岐管路とが形成してある、前記内視鏡本体に着脱自在な分岐部と、
を備え、前記分岐部及び挿入部側チャンネルを選択的に着脱して使用できるようにしたことを特徴とするチャンネル着脱式内視鏡。
【発明の詳細な説明】
【０００１】
【発明の属する技術分野】
本発明はチャンネル着脱式内視鏡、更に詳しくは内視鏡本体に着脱自在に取り付けられるチャンネルを有するチャンネル着脱式内視鏡に関する。
【０００２】
【従来の技術】
一般に内視鏡は、挿入部を体腔内等に挿入し患部を観察するのに用いられる。また、近年においては患部の観察のみならず、患部の組織の採取や治療を行うための処置具を挿入するための処置具挿入チャンネルが挿入部内に配設した内視鏡が用いられている。
【０００３】
しかし、このような処置具挿入チャンネルを組み込んだ従来の内視鏡では挿入部の外径が太くなるといった問題があった。
【０００４】
そこで、例えば特開昭５８−４４０３３号公報に示されるように、処置具導入装置を内視鏡挿入部に着脱自在に取り付けることで、処置具による治療を選択的に行うことができるものが提案されている。
【０００５】
【発明が解決しようとする課題】
しかしながら、処置具挿入チャンネルの利用の１つに、体腔内の汚物などの吸引があるが、上記の特開昭５８−４４０３３号公報にはこのような汚物などを吸引するという概念が示されていない。
【０００６】
すなわち、上記提案では、吸引のためには処置具導入用チャンネルの近位端に吸引ポンプを接続すれば可能であるが、処置具を挿通するためには吸引のためには吸引ポンプとの接続をはずさなければならない、また処置具使用のたびに着脱しなければならない、さらには処置具挿通時は吸引できないといった問題がある。
【０００７】
本発明は、上記事情に鑑みてなされたものであり、処置具導入用チャンネルを選択的に装着すると共に、処置具挿脱と吸引操作を簡単かつ確実に行うことのできるチャンネル着脱式内視鏡を提供することを目的としている。
【０００８】
【課題を解決するための手段】
本発明によるチャンネル着脱式内視鏡は、先端部に観察窓を設けた観察光学系を内蔵した細長の挿入部及び前記挿入部の手元側に連結した操作部とを有する内視鏡本体と、前記挿入部の外表面に沿って着脱可能に装着されるものであって、装着状態において前記挿入部と共に被覆チューブによって被覆され、かつ、前記被覆チューブから手元側へ引き抜くことで前記被覆チューブに径の異なる別のそれを被覆チューブの手元側から挿入して装着することを可能とする処置具挿入チャンネルとしての挿入部側チャンネルと、前記別の挿入部側チャンネルを含めて、前記挿入部側チャンネルの手元側端部が着脱可能に装着される第１の分岐管路と、一端側が前記第１の分岐管路に連通すると共に他端側には処置具挿入口が設けてある第２の分岐管路と、一端側が前記第１の分岐管路に連通すると共に他端側には吸引源との接続部が設けてある第３の分岐管路とが形成してある、前記内視鏡本体に着脱自在な分岐部とを備えて構成される。
【０００９】
本発明のチャンネル着脱式内視鏡は、前記分岐部及び挿入部側チャンネルを、内視鏡本体の細長の挿入部に対して選択的に着脱して使用する。
【００１０】
【発明の実施の形態】
以下、図面を参照しながら本発明の実施の形態について述べる。
【００１１】
図１ないし図４は本発明の第１の実施の形態に係わり、図１はチャンネル着脱式内視鏡の内視鏡本体の構成を示す構成図、図２は図１の内視鏡本体に着脱自在に接続される挿入部側チャンネルの構成を示す構成図、図３は図２の挿入部側チャンネルを覆う被覆チューブの構成を示す構成図、図４は図３の被覆チューブに覆われ内視鏡本体に挿入部側チャンネルを取り付けたチャンネル着脱式内視鏡の構成を示す構成図である。
【００１２】
（構成）
第１の実施の形態のチャンネル着脱式内視鏡では、図１に示すように、内視鏡本体１は、先端面に観察窓２を有する先端部３及びこの先端部３に連接された湾曲部４と可撓管５とからなる挿入部６と、この挿入部６の手元側に連接された操作部７と、図示しない光源及び映像用プロセッサと連結するためのコネクタ８と操作部７とを結ぶユニバーサルコード９とから構成される。
【００１３】
先端部３には、図示はしないが、対物レンズ及びＣＣＤが内蔵されており、ＣＣＤに接続された信号線は、湾曲部４、可撓管５、ユニバーサルコード９内を延出し、コネクタ８の接点に接続されている。また、一端を先端部３に有する挿入部内を挿通する照明光伝達用ライトガイド（図示せず）の他端もコネクタ８に配置されている。
【００１４】
操作部７には、湾曲部４の湾曲を操作する湾曲操作部１０と、ＣＣＤ像で得た内視鏡像をフリーズしたり影像装置へ記憶するためのビデオスイッチ１１と、後述する吸引機能を作動させる吸引スイッチ１２と、先端部３に一端を開口し他端をコネクタ８に開口させた観察窓２を洗浄するための送気・送水管路内の流体移動を指示するための送気・送水スイッチ１３とが設けている。また、挿入部６の可撓管５側には粘着テープなどの粘着物質からなる粘着部１４が設けてある。
【００１５】
粘着部１４には、内部にＴ字状の分岐管路を有するシリコンゴムやＮＢＲなどの弾性のある高分子材料からなり、第１の分岐管路１７は開口を有し、第１の分岐管路１７の先端側の外側はテーパ状に円筒からなる挿入部側チャンネル連結部１８を有している分岐部１６が着脱される。この分岐部１６の挿入部側チャンネル連結部１８に挿入部側チャンネル１５の一端が連結接続される。
【００１６】
挿入部側チャンネル１５は、中空のフッ素樹脂や塩化ビニール等の高分子材料からなる可撓性を有しており、この挿入部側チャンネル１５の長さは、挿入部６の長さよりわずかに長く、内径は１〜６mm程度、肉厚は０．２〜０．６mm程度である。
【００１７】
第１の分岐管路１７と対向する第２の分岐管路１９は、第１の分岐管路１７と反対側に常閉のスリット２０を有している。第１の分岐管路１７と第２の分岐管路１９に連通し、第１の分岐管路１７と第２の分岐管路１９と略垂直方向に延びる第３の分岐管路２１にはユニバーサルコード側チャンネル２２が着脱不能に接続されている。
【００１８】
ユニバーサルコード側チャンネル２２の一端は、吸引びん２４から進出した第１の中空路２５が接続可能で、一方、吸引びん２４の第２の中空路２６には吸引ポンプ２７が接続可能である。そして、電磁弁２８が吸引スイッチ１２の操作により開閉することで、吸引ポンプ２７により挿入部側チャンネル１５及びユニバーサルコード側チャンネル２２を介して挿入部側チャンネル１５先端より吸引操作が行えるようになっている。
【００１９】
可撓管５及び挿入部側チャンネル１５は、図３に示すような被覆チューブ２３により被覆されるようになっており、この被覆チューブ２３は塩ビ系、ウレタン系、スチレン系などの可撓性の中空のチューブで可撓管５と挿入部側チャンネル１５を同時に内蔵できる内径を有している。また、被覆チューブ２３は、０．１〜０．５mmの薄い肉厚を有し、自然状態では可撓管５と挿入部側チャンネル１５を内蔵できる径を有していなくても、被覆チューブ２３の弾性変形により拡径し可撓管５と挿入部側チャンネル１５を同時に内蔵できる。もちろん自然状態で内蔵できてもよい。被覆チューブ２３は可撓管５あるいは挿入部側チャンネル１５に１箇所あるいは複数の箇所で着脱自在に固定できる。
【００２０】
（作用）
図４に示すように、挿入部側チャンネル１５の手元側端部を挿入部側チャンネル連結部１８に装着する。この時、挿入部側チャンネル連結部１８はテーパ状になっているので挿入部側チャンネル１５の内径によらず、装着可能である。
【００２１】
そして、挿入部側チャンネル１５が接続された分岐部１６を粘着部１４の粘着力を固定して粘着部１４に固定し挿入部側チャンネル１５を挿入部６に沿わせる。この時、挿入部側チャンネル１５と挿入部６の遠位端はほぼ一致する。
【００２２】
また、可撓管５と挿入部側チャンネル１５を被覆するように被覆チューブ２３を装着する。この時、装着性を良好とするために被覆チューブ２３の内側を加圧したり、外側を減圧したり、またコーンスターチ、片栗粉、キシロカインゼリなど生体に安全な潤滑剤を塗布したりしてもよい。
【００２３】
そして、ユニバーサルコード側チャンネル２２を第１の中空路２５に接続する。コネクタ８は、図示しない光源や映像用プロセッサに固定する。ユニバーサルコード側チャンネル２２の中途に電磁弁２８の弁部を取り付ける。この状態で検査を行う。
【００２４】
（効果）
このように第１の実施の形態のチャンネル着脱式内視鏡によれば、分岐部１６のスリット２０により挿入部側チャンネル１５に処置具を挿脱するとともに、分岐部１６の第３の分岐管路２１を介してユニバーサルコード側チャンネル２２により吸引が可能となり、送気・送水スイッチ１３の操作により電磁弁２８が開閉することで、必要な時にいつでも吸引できる。
【００２５】
また、処置具挿通時でもスリット２０は外界と内部の間をシールしているので吸引操作は可能である。
【００２６】
さらに、被覆チューブ２３と可撓管５あるいは挿入部側チャンネル１５との固定は点固定なので挿入部６がループしたり湾曲したりした時に、可撓管５に対し挿入部側チャンネル１５が自由に軸方向あるいは周方向あるいは径方向に移動し可撓管５の座屈が発生しないし、湾曲操作部１０の操作力量も大きくならない。この効果は可撓管５と被覆チューブ２３を固定し、挿入部側チャンネル１５は可撓管５にも被覆チューブ２３にも固定していない方がより大きい。
【００２７】
図５は本発明の第２の実施の形態に係るチャンネル着脱式内視鏡の分岐部の構成を示す断面図である。
【００２８】
第２の実施の形態は、第１の実施の形態とほとんど同じであるので、異なる点のみ説明し、同一の構成には同じ符号をつけ説明は省略する。
【００２９】
第２の実施の形態は、第１の実施の形態のタイプの内視鏡本体１を用い内径の異なる複数の挿入部側チャンネル１５を交換しながら検査するチャンネル着脱式内視鏡である。
【００３０】
（構成）
第２の実施の形態のチャンネル着脱式内視鏡では、分岐部１６が第１の実施の形態と異なる。すなわち、図５に示すように、挿入部側チャンネル連結部１８は、テーパ部２９とくびれ部３０からなる。分岐部１６は挿入部側チャンネル連結部１８を含む硬質の高分子材料からなる部位とスリット２０を含む軟質の高分子材料からなる部位が係合部３１で接続されている第３の分岐管路２１に連通するユニバーサルコード側チャンネル２２は分岐部１６と着脱自在にするように第３の分岐管路２１の端部には接続口体３２が設けられている。
【００３１】
挿入部側チャンネル１５は、内径２mm，外径２．６mmの第１の挿入部側チャンネル３３、内径３mm，外径３．７mmの第２の挿入部側チャンネル３４、内径５mm，外径６mmの第３の挿入部側チャンネル３５の３種類からなる。挿入部側チャンネル１５は被覆チューブ２３及び挿入部６に対し摺動自在である。
【００３２】
被覆チューブ２３の自然状態の内径は第１の挿入部側チャンネル３３と挿入部６を伸縮せずに収納できるサイズであり、第１の挿入部側チャンネル３３の代わりに第２の挿入部側チャンネル３４あるいは第３の挿入部側チャンネル３５を収納できる伸展性を有している。
【００３３】
（作用）
まずは、第１の実施の形態に示したように、第１の挿入部側チャンネル３３を挿入部側チャンネル連結部１８に装着した状態で検査を始める。処置が必要になった時は挿入部を体腔内に入れたままの状態で第１の挿入部側チャンネル３３と挿入部側チャンネル連結部１８の結合をはずし、挿入部側チャンネル１５を被覆チューブ２３の中を滑らせるようにして挿入部６の軸方向近位端側に引き抜く。
【００３４】
そして処置の種類に応じて選択した第２の挿入部側チャンネル３４あるいは第３の挿入部側チャンネル３５を被覆チューブ２３の近位端側から挿入部６に沿うように遠位端方向に摺動させて手元端を挿入部側チャンネル連結部１８に装着する。この時被覆チューブ２３は径方向に伸展する。装着を容易にするために人体に安全な潤滑剤を第２の挿入部側チャンネル３４に塗布したり被覆チューブ２３の内部の圧力を外部の圧力より相対的に高くして、被覆チューブ２３の径を伸展させながら装着してもよい。
【００３５】
この後所望の処置をする。必要に応じ送気・送水スイッチ１３を操作すれば吸引もできる。
【００３６】
必要に応じ２本の挿入部側チャンネル１５を被覆チューブ２３内に収納させ、そのうちの１本のみ挿入部側チャンネル連結部１８に接続し他方は開放端にしておいてもよい。この場合２本のチャンネルを用いた処置ができる。
【００３７】
（効果）
以上説明したように第２の実施の形態のチャンネル着脱式内視鏡によれば、第１の実施の形態のチャンネル着脱式内視鏡の効果に加え、以下のような効果を有する。すなわち、
（１）複数の挿入部側チャンネルが選択でき、必要な時だけ大きなチャンネルにできるので、患者の苦痛を最小限にできる。
【００３８】
（２）検査中に挿入部を体腔内に入れたままでチャンネル交換できるので内視鏡先端挿入時の苦痛は１回だけにできる。
【００３９】
（３）挿入部側チャンネル連結部１８にはくびれ部があるので挿入部側チャンネル１５の端部がくびれ部３０に落ち込み、抜けにくい。
【００４０】
なお、被覆チューブ２３の内径は、第１の挿入部側チャンネル３３の収納時にも自然状態より伸展するようにしてもよい。
【００４１】
図６は本発明の第３の実施の形態に係るチャンネル着脱式内視鏡の分岐部の構成を示す構成図である。
【００４２】
第３の実施の形態は、第１の実施の形態とほとんど同じであるので、異なる点のみ説明し、同一の構成には同じ符号をつけ説明は省略する。
【００４３】
（構成）
第３の実施の形態のチャンネル着脱式内視鏡は、分岐部１６と操作部７の装着手段が第１の実施の形態と異なる。すなわち、図６に示すように、操作部７には端面に挿入部６の軸方向に延びるツメ３６を有する腕部３７が設けてある。分岐部１６には腕部３７に対し挿入部６の軸方向とは垂直方向にスライドしてツメ３６と係合するスライド部３８が設けてある。
【００４４】
（作用）
分岐部１６に挿入部側チャンネル１５を装着した後ツメ３６がスライド部３８と嵌合するように分岐部１６を挿入部６の軸方向とは垂直方向にスライドさせて分岐部１６を操作部７に固定する。
【００４５】
（効果）
以上説明したように第３の実施の形態のチャンネル着脱式内視鏡によれば、第１の実施の形態のチャンネル着脱式内視鏡の効果に加え、処置具を挿通する際に分岐部１６には挿入部６の軸方向に負荷が加わるが、この方向に力が加わっても分岐部１６と操作部７の結合ははずれないので処置具挿通性に優れる。
【００４６】
なお、固定手段はスナップフィットでもよい。着脱方向を挿入部６の軸方向と垂直方向にすれば上記と同じ効果が得られる。
【００４７】
図７は本発明の第４の実施の形態に係るチャンネル着脱式内視鏡の分岐部の構成を示す構成図である。
【００４８】
第４の実施の形態は、第１の実施の形態とほとんど同じであるので、異なる点のみ説明し、同一の構成には同じ符号をつけ説明は省略する。
【００４９】
第４の実施の形態のチャンネル着脱式内視鏡は、分岐部の近位端側に連結部を設けた点が第１の実施の形態と異なる。すなわち、図７に示すように、分岐部１６の第１の分岐管路１７には挿入部側チャンネル１５が接着などで着脱不能に固定してある。第３の分岐管路２１は第１の分岐管路１７と対向した位置にあり、その端部にはユニバーサルコード側チャンネル連結部３９がユニバーサルコード側チャンネル２２を着脱自在にできるように設けてある。
【００５０】
第１の分岐管路１７に対し斜め方向から連通する第２の分岐回路１９の端部にはスリット２０が設けてある。
【００５１】
（作用）
ユニバーサルコード側チャンネル２２がユニバーサルコード側チャンネル連結部３９に対し着脱自在である。
【００５２】
（効果）
以上説明したように第４の実施の形態のチャンネル着脱式内視鏡によれば、第１の実施の形態のチャンネル着脱式内視鏡の効果に加え、処置具が接触する部分は全て一括して扱えるので処置具が接触する部分を清潔にするのが容易である（新しい患者に使いたい時あるいは細胞診などのために清潔なチャンネル内に処置具を挿入したい時などに交換容易）。
【００５３】
図８は本発明の第５の実施の形態に係るチャンネル着脱式内視鏡の分岐部の構成を示す構成図である。
【００５４】
第５の実施の形態は、第１の実施の形態とほとんど同じであるので、異なる点のみ説明し、同一の構成には同じ符号をつけ説明は省略する。
【００５５】
第５の実施の形態のチャンネル着脱式内視鏡は、第１の中空路２５の内径を拡大する手段を有する点が第１の実施の形態と異なる。すなわち、図８に示すように、挿入部側チャンネル１５は、遠位端側の内径可変の第１の挿入部側チャンネル４０と近位端側の内径不変の第２の挿入部側チャンネル４１からなる。第１の挿入部側チャンネル４０は伸展性材料からなるチューブ本体４２に棒状あるいは枝状の形状記憶合金からなるらせん体４３が埋め込まれた構成となっており、らせん体４３に通電するためのコネクター４４が延出している。
【００５６】
チューブ本体４２の近位端は第２の挿入部側チャンネル４１に着脱不能に固定されている。第２の挿入部側チャンネル４１は拡径時の第１の挿入部側チャンネル４０の内径と同等あるいはそれ以上の内径を有しており、近位端にはスナップフィットを形成するためのツメを有した腕４５を備えている。
【００５７】
分岐部１６の第１の分岐管路１７の外周には腕４５のツメを受け入れる係止部４６が設けてある。
【００５８】
（作用）
腕４５は係止部４６に対してスナップフィット型の着脱をする。通常は第１の挿入部側チャンネル４０は縮径状態で検査をしており、処置や吸引の必要に応じコネクター４４より通電し、らせん体４３を加熱し、らせん体４３が記憶している拡径状態に転移する。この時チューブ本体４２も伸展し、第１の挿入部側チャンネル４０の内径は大きくなる。通電を停止すれば縮径状態に戻る。
【００５９】
（効果）
以上説明したように第５の実施の形態のチャンネル着脱式内視鏡によれば、第１の実施の形態のチャンネル着脱式内視鏡の効果に加え、チャンネルを交換しなくてもチャンネル内径を大きくできるので、容易にチャンネル内径を大きくできる。
【００６０】
なお、本実施の形態に示したような拡径手段を有するチャンネルと第１の実施形態に示したような拡径手段を有しないチャンネルを交換自在にするようにしてもよい。
【００６１】
また、上記各実施の形態のチャンネル着脱式内視鏡の洗浄消毒に４０℃程度の加温液体や酸化系消毒剤を用いる場合に、消毒中あるいは消毒後に内視鏡内部の圧力が変化して内視鏡にダメージを与えるのを防止するために、内視鏡と外界を連通させる大気開放手段が内視鏡には設けられている。常時は連通が遮断されていて内視鏡内部が所定圧以上になった時のみ連通してもよい。
【００６２】
［付記１］
（付記項１−１）
先端部に観察窓を設けた観察光学系を内蔵した細長の挿入部及び前記挿入部の手元側に連結した操作部とを有する内視鏡本体と、
一部は前記挿入部に沿って着脱可能に装着され、一端は前記先端部近傍に開口し、他端に吸引源との接続部を設け、中途に分岐部を有し、前記分岐部により分岐した一端には処置具挿入口を設けた中空のチャンネルと
を備え、
前記チャンネルは、前記分岐部の近傍に分離可能な連結部
を備えたことを特徴とするチャンネル着脱式内視鏡。
【００６３】
（付記項１−２）
前記チャンネルの遠位端は自由端である
ことを特徴とする付記項１−１に記載のチャンネル着脱式内視鏡。
【００６４】
（付記項１−３）
前記分岐部の近位端側に前記連結部を設けた
ことを特徴とする付記項１−１に記載のチャンネル着脱式内視鏡。
【００６５】
（付記項１−４）
前記分岐部の遠位端側に前記連結部を設けた
ことを特徴とする付記項１−１に記載のチャンネル着脱式内視鏡。
【００６６】
（付記項１−５）
前記チャンネルは、前記挿入部に沿って近位端側に移動して前記挿入部から取りはずす
ことを特徴とする付記項１−１に記載のチャンネル着脱式内視鏡。
【００６７】
（付記項１−６）
前記挿入部と前記チャンネルとは、細長の可撓性中空体で覆われている
ことを特徴とする付記項１−１に記載のチャンネル着脱式内視鏡。
【００６８】
（付記項１−７）
前記チャンネルと前記可撓性中空体は遠位端で結合していない
ことを特徴とする付記項１−６に記載のチャンネル着脱式内視鏡。
【００６９】
（付記項１−８）
前記チャンネルは前記可撓性中空体の中で挿入部に対し軸方向に移動自在である
ことを特徴とする付記項１−６に記載のチャンネル着脱式内視鏡。
【００７０】
（付記項１−９）
前記チャンネルは前記連結部が解除された時に移動自在である
ことを特徴とする付記項１−８に記載のチャンネル着脱式内視鏡。
【００７１】
（付記項１−１０）
前記可撓性中空体は、径方向に伸縮自在である
ことを特徴とする付記項１−６に記載のチャンネル着脱式内視鏡。
【００７２】
（付記項１−１１）
前記挿入部と前記チャンネルを密着して覆う前記可撓性中空体は、前記挿入部と前記チャンネルの外径より大きな外径を有する第２のチャンネルを密着して覆うことができる伸縮性を有する
ことを特徴とする付記項１−１０に記載のチャンネル着脱式内視鏡。
【００７３】
（付記項１−１２）
遠位端側に拡径手段を有する部分と近位端側に拡径手段を有しない部分を有する前記チャンネルと前記挿入部を覆う前記可撓性中空体は、前記チャンネル縮径時及び拡径時に密着して覆うことができる伸縮性を有する
ことを特徴とする付記項１−１０に記載のチャンネル着脱式内視鏡。
【００７４】
（付記項１−１３）
前記連結部の前記分岐部側には異なるサイズのチャンネルを装着できる装着部を有する
ことを特徴とする付記項１−４に記載のチャンネル着脱式内視鏡。
【００７５】
（付記項１−１４）
前記装着部はテーパ状円筒である
ことを特徴とする付記項１−１３に記載のチャンネル着脱式内視鏡。
【００７６】
（付記項１−１５）
前記装着部はくびれ部を有するテーパ状円筒である
ことを特徴とする付記項１−１４に記載のチャンネル着脱式内視鏡。
【００７７】
（付記項１−１６）
前記分岐部は前記操作部近傍に前記チャンネルを固定する固定手段を有する
ことを特徴とする付記項１−１に記載のチャンネル着脱式内視鏡。
【００７８】
（付記項１−１７）
前記固定手段は粘着剤である
ことを特徴とする付記項１−１６に記載のチャンネル着脱式内視鏡。
【００７９】
（付記項１−１８）
前記固定手段は、前記分岐部あるいは前記操作部の一方に設けたツメを有する腕部と、他方に設けたツメをホールドするようにスライド装着可能なスライド部とからなる
ことを特徴とする付記項１−１６に記載のチャンネル着脱式内視鏡。
【００８０】
（付記項１−１９）
前記スライド部のスライド方向が挿入部長手軸方向と略垂直である
ことを特徴とする付記項１−１８に記載のチャンネル着脱式内視鏡。
【００８１】
（付記項１−２０）
固定手段はスナップフィットである
ことを特徴とする付記項１−１６に記載のチャンネル着脱式内視鏡。
【００８２】
（付記項１−２１）
前記処置具挿入口には常閉で処置具挿通可能なスリットを有する鉗子栓を設けた
ことを特徴とする付記項１−１に記載のチャンネル着脱式内視鏡。
【００８３】
（付記項１−２２）
鉗子栓はエラストマーからなる
ことを特徴とする付記項１−２１に記載のチャンネル着脱式内視鏡。
【００８４】
（付記項１−２３）
前記チャンネルは前記挿入部に沿って遠位端側に移動して挿入部に装着する
ことを特徴とする付記項１−１に記載のチャンネル着脱式内視鏡。
【００８５】
（付記項１−２３）
第１のチャンネルを挿入部に沿って近位端側に移動して挿入部から取り除いた後、第２のチャンネルを挿入部に沿って遠位端側に移動して挿入部に装着する脱着法。
【００８６】
ところで、大腸内視鏡検査では、挿入部の大部分を患者の体内に挿入した後に、挿入部を抜去しながら観察・処置を行うのが一般的である。
【００８７】
挿入に当たっては、一般にＳ字状結腸及び、Ｓ字状結腸から下降結腸に移行する部分（Ｓ．Ｄ．Ｊｕｎｃｔｉｏｎ）が最も困難であるといわれている。
【００８８】
Ｓ字状結腸へ内視鏡を挿入しようとすると、多くの場合その挿入部はＮループ、αループ、逆αループ（γループ）と呼ばれるループ形状の何れかを描くことが多い。
【００８９】
Ｎループを形成すると、Ｓ字状結腸が筋肉や腱によって固定されていない可動性の高い腸であるために、それ以上挿入しようとしてもＳ字状結腸が伸展するだけで一向に挿入できない状態になり易い（ステッキ現象）。
【００９０】
またこの状態の時に無理に挿入しようとすると、患者の苦痛が増大する。
【００９１】
逆αループを形成する際もこれと同様だが、Ｎループよりもより患者の苦痛が大きく、また挿入しづらい。
【００９２】
αループは、Ｎループや逆αループを解除して挿入し易くするために故意に形成させることもあり、挿入性に関しては良好であるが、やはり体内でループが形成されると患者の苦痛は増す傾向にあり、術者によってはこのαループの形成も好まない場合がある。
【００９３】
そこで上記ループを形成せずに挿入する方法が広く用いられており、その代表的なものとして、Ｒｉｇｈｔ  ｔｕｒｎ  ｓｈｏｒｔｅｎｉｎｇ法とＨｏｏｋｉｎｇ  ｔｈｅ  ｆｏｌｄ法が知られている。
【００９４】
Ｒｉｇｈｔ  ｔｕｒｎ  ｓｈｏｒｔｅｎｉｎｇ法は、挿入時に上記したループが形成された場合に、そのループを解除してから挿入を続ける方法である。
【００９５】
ループの解除方法は、上記したループの大半が挿入部先端側に向かって右回りの螺旋を描いている（注：逆αループでは稀に左螺旋を描くことがある）ため、挿入部をその長手軸に対して右方向に捻ることによってなされる。これによりＳ字状結腸は直線化されるため、ステッキ現象が起こることがなく容易に挿入が可能となる。またループが形成された状態で挿入しないため、患者の苦痛が少ないというメリットがある。
【００９６】
Ｈｏｏｋｉｎｇ  ｔｈｅ  ｆｏｌｄ法は腸のひだ部に内視鏡の先端をひっかけるようにして、腸を手繰り寄せ、腸を短縮しながら挿入していく方法である。
【００９７】
上記したように二つの方法のうち、Ｒｉｇｈｔ  ｔｕｒｎ  ｓｈｏｒｔｅｎｉｎｇ法では、ループ解除のために挿入部を捻る必要があるが、その捻り量は１回転以上となることが多い。
【００９８】
その結果、体内に生じたループは確かに解除されるものの、体外に出ている挿入部にループを移す結果となる。
【００９９】
Ｓ字状結腸への挿入に関してのみ説明したが、大腸に内視鏡を挿入する際には、他に脾湾曲部、肝湾曲部等の挿入困難な部位が存在し、それらの部位でも捻り操作を頻繁に行う。
【０１００】
この場合には挿入部先端に向かって時計方向回転、反時計方向回転の両方を用い、どちらの方向に回転する場合でも、その回転角か１回転以上になるケースは珍しくない。そしてこの場合にも体外に出ている挿入部にループが生じることとなる。
【０１０１】
この体外の挿入部に生じたループは内視鏡の操作性を著しく悪化させるので、術者によっては、このループをユニバーサルコードまで移す場合もある。
【０１０２】
具体的には、挿入部先端に向かって時計方向のループが挿入部に形成されている場合には、操作部を内視鏡先端に向かって時計方向に１回転させることにより、反時計方向のループが形成されていれば、操作部を反時計方向に１回転させることにより行われる。
【０１０３】
ところがユニバーサルコードにループを移した場合にも、体外の挿入部に生じたループほどではないが、操作性の悪化が起こる。
【０１０４】
つまり光源装置に内視鏡を接続した状態で、光源装置から操作部を離すことのできる最大距離が、ループが形成された分短くなるために、その分内視鏡の取り回しが悪くなるという不具合が生じてしまう
これを解決するための機構が実公平５−８８５号に示されている。
【０１０５】
上記考案では、光源に接続し固定されている固定部に対して、ユニバーサルコードが接続されている回転部が回転可能に接続されており、さらにバネの発力によって中立位置に回動体を戻すような構造となっている。
【０１０６】
上述したように大腸内視鏡検査では、ユニバーサルコードにループが生じるほどの捻り操作を行うことが一般的であるが、実公平５−８８５号では中立状態に戻すためのバネの作用により、３６０°以上という大きな回転角まで回転させるのは非常に困難である。
【０１０７】
従ってユニバーサルコードに生じたループの解除が完全には行えず、操作性の改善効果が乏しい。
【０１０８】
そこで、次に内視鏡のユニバーサルコードに頻繁に発生するループを完全に除去することで、操作性を向上させる内視鏡について説明する。
【０１０９】
図９はユニバーサルコードに頻繁に発生するループを完全に除去することで操作性を向上させる内視鏡の第１の実施の形態に係る内視鏡操作部とユニバーサルコードとを接続する接続部の構成を示す構成図である。
【０１１０】
（構成）
図９に示すように、内視鏡操作部とユニバーサルコードであるＬＧ蛇管１０１との接続において、ＬＧ蛇管１０１は、金属製の板材を螺旋状に巻いたフレックス１０１ａと、フレックス１０１ａの上を覆っている金属の線材で編まれた円筒状の網部材であるブレード（図示しない）と、ブレード上に被覆された合成樹脂の外皮１０１ｂとで構成され、可撓性を有する管状部材になっている。なお、ＬＧ蛇管１０１の端部１０１ｃは外皮１０１ｂで覆われておらず、ブレードが露出している。
【０１１１】
口金１０２は円筒状の金属部材であり、端部１０２ａの内径は、ＬＧ蛇管１０１のブレード外径とほぼ同一となっている。口金１０２はＬＧ蛇管１０１に対して突き当て部１０２ｂが端面１０１ｄに突き当たるまで挿入されており、互いの接合面で接着されている。口金１０２の外周面にはＯリング取り付け用の環状溝１０２ｃが設けられており、環状溝１０２ｃにはＯリング１０３が取り付けられている。また口金１０２には雌ネジ穴１０２ｄが設けられている。
【０１１２】
回転体１０４は円筒状の金属部材であり、内径はＯリング１０３を装着した状態の口金１０２を内部に挿入でき、しかもＯリング１０３が十分水密を保てる程に潰れるようになっている。
【０１１３】
回転体１０４は一端にはフランジ部１０４ａが、他端には雌ネジ穴１０４ｂが、中間部には雄ネジ部１０４ｃが設けられている。
【０１１４】
さらに、回転体１０４には雌ネジ穴１０２ｄに対応するネジ穴１０４ｄが設けられており、Ｏリング１０３を装着した口金１０２を回転体１０４の内部に挿入した後、ネジ穴１０４ｄを介してネジ１０５で螺合することにより、回転体１０４は口金１０２に対して固定されている。また回転体外表面には環状溝１０４ｅが設けられており、ここにはＯリング１０６が装着されている。
【０１１５】
固定体１０７は円筒状部材で、固定体１０７の内部には回転体１０４の雄ネジ部１０４ｃと螺合可能な雌ネジ部１０７ａが設けられており、これらの螺合によって回転体１０４は固定体１０７に対して回転可能に取り付けられている。この雄ネジ部１０４ｃと雌ネジ部１０７ａがスムーズに噛み合うように回転体１０４と、固定体１０７を互いに異種金属にしても良い。
【０１１６】
また固定体１０７の端部には小径部１０７ｂが設けられており、小径部１０７ｂの内壁面１０７ｃはＯリング１０６と当接するようになっている。小径部１０７ｂの内壁面１０７ｃの内径は、回転体１０４にＯリング１０６を装着した状態で回転体１０４を固定体１０７に組み付けた際に、Ｏリング１０６が十分水密を保てる程に潰れるような大きさとなっている。雌ネジ部１０７ａは、少なくとも回転体１０４を固定体１０７に対して中立状態から時計方向、及び反時計方向に３６０°回転させ得る程の長さを有している。
【０１１７】
また、小径部１０７ａは回転体１０４が回転するに従い回転軸方向に進退するが、内壁面１０７ｃは、回転体１０４が固定体１０７に対してＬＧ蛇管１０１に向かって時計方向及び、反時計方向に少なくとも各３６０°回転させた際に生じる進退によっても、Ｏリング１０６との当接が保たれる程、長手方向に十分な長さを有している。
【０１１８】
さらに、固定体１０７は突き当て部１０７ｄを有しており、これは小径部１０７ｂと一体になっている。その内径は、回転体１０４を固定体１０７に組み付けて、ＬＧ蛇管１０１に向かって時計方向に回転体１０４を回転していった際に、突き当て部側面１０７ｅがフランジ部１０７ａの側面１０４ｆと突き当たるような大きさとなっている。
【０１１９】
さらに、突き当て部１０７ｄは大径部１０７ｆと一体になっており、大径部１０７ｆの内径は、回転体１０４を固定体１０７に組み付けた際に、フランジ部１０４ａが収納できる程の大きさとなっている。
【０１２０】
なお本実施の形態では突き当て部側面１０７ｅとフランジ部側面１０４ｆ間の距離は、中立状態で雌ネジ部１０７ａ（雄ネジ部１０４ｃ）の１ピッチ分の大きさとなっている。
【０１２１】
ストッパ１０８は円筒状金属部材で、フランジ部１０８ａとネジ穴部１０８ｂを有している。
【０１２２】
ストッパ１０８の内径は回転体１０４の端部１０４ｆの外径とほぼ同一になっており、回転体１０４の端部をストッパ１０８の内部に挿入し、ネジ穴１０８ｂを介してネジ１１０を雌ネジ穴１０４ｂに螺合させることにより、ストッパ１０８を回転体１０４に対して固定している。
【０１２３】
フランジ部１０８ａには雌ネジ穴１０８ｃが設けられており、調整ネジ１０９が取り付けられている。この調整ネジ１０９の先端部１０９ａから小径部１０７ｂの外側面１０７ｇまでの距離が、雌ネジ部１０７ａ（雄ネジ部１０４ｃ）の１ピッチ分の大きさとなるように調整されている。
【０１２４】
なお、固定体１０７は、図示しないコネクタ本体に接続されており、このコネクタ本体には光源・ポンプ装置、画像処理装置、吸引装置等に接続するための接続手段（図示しない）が設けられている。
【０１２５】
また、ＬＧ蛇管１０１、固定体１０７の内部には、吸引管路、送水管路、送ガス管路、送気管路、ケーブル線、リード線、光伝送用ファイバー束等の内蔵物が配設されており、一端は図示しないコネクタ本体に、他端は内視鏡本体の操作部内部にて固定されているが、図９では省略してある。
【０１２６】
本実施の形態では、以上のような構成により回転体１０４が固定体１０７に対して回転する角度が、最大でＬＧ蛇管１０１方向に時計回転、反時計回転ともに各３６０°ずつになるよう調整されているが、具体的には以下のように調整を行う。
【０１２７】
回転体１０４を固定体１０７に螺合した後、まず固定体１０７をＬＧ蛇管１０１に向かって反時計方向に回転させて、フランジ部１０４ａの側面１０４ｆと突き当て部側面１０７ｅを突き当てる。その後固定体１０７を側面１０４ｆと突き当て部側面１０７ｅとが離れる方向に１回転させる。回転終了後は図示しないコネクタの本体に固定する。次に回転体１０４をＬＧ蛇管方向に向かって反時計方向に２回転させ、回転後に調整ネジ１０９をその先端部１０９ａが固定体１０７の外側面１０７ｇに突き当たるまでねじ込む。以上によって調整は完了する。
【０１２８】
なお、回転体１０４が回転する際には、各種内蔵物は一端が図示しないコネクタ本体に、他端が操作部本体内部に固定されているので捻れが生じることとなるが、ＬＧ蛇管１０１内部、及び回転体１０４内部において捻れはほぼ均等に起こり、また一般に内蔵物の長さは十分長いので、内蔵物の単位長さ当たりの捻れ角は比較的小さく、２回転程の回転では内蔵物に損傷もしくは機能の低下を及ぼす程のものではない。従って、本実施の形態では回転角を中立状態から時計方向、反時計方向ともに３６０°までに限定したが、これを７２０°以下の回転角としても良い。もちろん、内蔵物の捻れ耐性が比較的強い場合や、もしくは単位長さ当たりの捻れ角が小さくなるような工夫、例えば内蔵物の長さを長くしたりする等の工夫をすれば、７２０°以上の最大回転角にすることも可能である。
【０１２９】
また、本実施の形態では調整ネジ１０９により最大回転角の微調整が可能であるが、特に必要がなければ省略しても良い。
【０１３０】
上述したように、Ｒｉｇｈｔ  ｔｕｒｎ  ｓｈｏｒｔｅｎｉｎｇ法が挿入手段として頻繁に使われる関係から、ＬＧ蛇管１０１に生じたループは固定体１０７に対して反時計方向となるものが多いため、時計方向のループはＬＧ蛇管１０１には生じ難い。
【０１３１】
そこで回転体１０４が固定体１０７に対して反時計方向のみ３６０°回転するようにしても良い。
【０１３２】
また、回転体１０４が固定体１０７に対して反時計方向に３６０°以上回るが、それ以下の最大回転角というふうにしても良いし、反時計方向は３６０°以上回るが（例えば７２０°回転可能にしてループ２回転解除可能にする）、時計方向は３６０°の最大回転角という具合にしても良い。
【０１３３】
また、術者によっては、ＬＧ蛇管１０１のループの回転方向が、固定体１０７に対して反時計方向よりも時計方向の回転の方が多くなる場合も考えられる。この場合には上記と全く逆の考え方で、回転体１０４が固定体１０７に対して回転する角度を、反時計方向より時計方向を大きくしたり、あるいは反時計方向のみ回転可能にしても良い。
【０１３４】
（作用）
ＬＧ蛇管１０１にその長手軸に対して回転トルクが生じると、ＬＧ蛇管１０１、口金１０２、回転体１０４、ストッパ１０８はネジによりお互い固定されているため、それらが一体となって固定体１０７に対して、その中心軸回りに回転する。
【０１３５】
固定体１０４をＬＧ蛇管１０１に向かって時計方向に回転させると、回転するに従って、回転体１０４はＬＧ蛇管１０１の方向に向かって移動するため、最後にはフランジ部１０４ａが固定体の突き当て部１０７ｄに突き当たる。突き当たった後はさらに同方向に回転しようとしても回転できない。
【０１３６】
同様にＬＧ蛇管１０１に対して反時計方向に回転した場合には、回転するに従い、回転体１０４はＬＧ蛇管１０１とは反対側に向かって移動するため、ストッパ１０８に設けられた調整ネジ１０９の先端部が固定体１０７に突き当たる。突き当たった後はさらに同方向に回転させようとしても回転できない。
【０１３７】
なお既に述べた通り、回転体１０４を回転する際には内蔵物の捻れが生じるが、ＬＧ蛇管１０１、及び回転体１０４内部においてほぼ均等に起こり、また一般に内蔵物の長さは十分長いので、内蔵物の単位長さ当たりの捻れ角は比較的小さい。
【０１３８】
従って内蔵物の損傷もしくは機能の低下を及ぼすことはない。
【０１３９】
（効果）
回転体１０４が固定体１０７に対して回転する最大角を、時計方向、反時計方向ともに３６０°ずつにしたことにより、そのどちらの方向のループがＬＧ蛇管１０１に生じてもそれを完全に解除することができ、内視鏡の操作性に影響を与えることがない。
【０１４０】
図１０及び図１１はユニバーサルコードに頻繁に発生するループを完全に除去することで操作性を向上させる内視鏡の第２の実施の形態に係わり、図１０は内視鏡操作部とユニバーサルコードとを接続する接続部の構成を示す構成図、図１１は図１０の回転角規制リングの詳細な構成を示す構成図である。
【０１４１】
ユニバーサルコードに頻繁に発生するループを完全に除去することで操作性を向上させる内視鏡の第２の実施の形態は、ユニバーサルコードに頻繁に発生するループを完全に除去することで操作性を向上させる内視鏡の第１の実施の形態とほとんど同じであるので、異なる点のみ説明し、同一の構成には同じ符号をつけ説明は省略する。
【０１４２】
図１０に示すように、回転体１１２は円筒状部材であり、内径はＯリング１０３を装着した状態の口金１０２を内部に挿入でき、しかもＯリング１０３が十分水密を保てる程に潰れるようになっている。
【０１４３】
回転体１１２はフランジ部１１２ａと筒部１１２ｅから構成されている。筒部１１２ｅ端部には雌ネジ穴１１２ｂが設けられている。フランジ部１１２ａには雌ネジ穴１１２ｃが設けられている。
【０１４４】
さらに、回転体１１２には口金１０２の雌ネジ穴１０２ｄに対応するネジ穴１１２ｄが設けられており、Ｏリング１０３を装着した口金１０２を回転体１１２の内部に挿入した後、ネジ穴１１２ｂを介して、雌ネジ穴１０２ｄに対してネジ１１３で螺合することにより、回転体１１２は口金１０２に対して固定されている。
【０１４５】
また、筒部１１２ｅの外周面には環状溝１０２ｃが設けられており、ここにはＯリング１１４が装着されている。
【０１４６】
さらに、フランジ部１１２ａには雌ネジ穴１１２ｃが設けられている。雌ネジ穴１１２ｃには第１の回転規制ピン１２２が螺合されている。
【０１４７】
固定体１１６は円筒状部材で段差部１１６ａを介して大径部１１６ｂと、小径部１１６ｃとが一体となっている。
【０１４８】
なお、大径部１１６ｂの内径は回転体１１２を固定体１１６に組み付けた際に、フランジ部１１２ａが収納できる程の大きさとなっている。
【０１４９】
小径部１１６ｃの内径はＯリング１１４を装着した状態の回転体１１２を固定体１１６に組み付けた際に、Ｏリング１１４が十分水密を保てる程に潰れるようになっている。
【０１５０】
固定体１１６の段差部１１６ａの内壁と、回転体１１２のフランジ部１１２ａとの間には、第１の回転規制リング１１７と、第２の回転規制リング１１８とが挟まれている。
【０１５１】
図１１に示すように、第１の回転規制リング１１７はリング状の部材であり、内周側に雌ネジ穴１１９が、外周側にはＣ字状孔１２０が設けられている。
【０１５２】
Ｃ字状孔１２０は、第１の回転規制リング１１７を回転体１１２の筒部１１２ｅに対して、雌ネジ穴１１９をフランジ部１１２ａと反対方向に向けて突き当たるまで挿入した際に、Ｃ字状孔１２０に第１の回転規制ピン頭部１２２ａがはまる位置に設けられている。
【０１５３】
Ｃ字状孔１２０の幅はフランジ部１１２ａの雌ネジ穴１１３に取り付けられている第１の回転規制ピン頭部１２２ａの径よりやや大きいため、回転体１１２に対して第１の回転規制リング１１７は回動可能である。
【０１５４】
ただし、Ｃ字状孔１２０の端部１２０ａまたは端部１２０ｂに、第１の回転規制ピン頭部１２２ａが突き当たるとそれ以上同方向の回転はできないようになっている。
【０１５５】
本実施の形態では、Ｃ字状孔１２０は貫通孔であるが、必ずしもその必要はなく、例えば溝状にしても良い。
【０１５６】
雌ネジ穴１１９には第２の回転規制ピン１２３が螺合されている。
【０１５７】
第２の回転規制リング１１８は、第１の回転規制リング１１７とほぼ同一の外形を有したリング状の部材で、内周側にはＣ字状孔１２４が、外周側には雌ネジ穴１２５が設けられてる。
【０１５８】
上記のように第１の回転規制リング１１７を回転体１１２のフランジ部１１２ａに対して突き当たるまで挿入した後、第２の回転規制リング１１８を、雌ネジ穴１２５を第１の回転規制リング１１７と反対方向に向けて、第１の回転規制リング１１７に対して突き当たるまで挿入した際に、Ｃ字状孔１２４に第２の回転規制ピン頭部１２３ａがはまる位置に設けられている。
【０１５９】
Ｃ字状孔１２４の幅は、第１の回転規制リング１１７に設けられた第２の回転規制ピン頭部１２３ａの径よりやや大きいため、回転体１１２に対して第２の回転規制リング１１８は回動可能である。
【０１６０】
ただし、Ｃ字状孔１２４の端部１２４ａ、または端部１２４ｂに第２の規制ピンが突き当たり、かつ第１の回転規制リング１１７が固定されている場合には、第２の回転規制リング１１８はそれ以上同方向には回転できないようになっている。
【０１６１】
本実施の形態では、Ｃ字状孔１２４は貫通孔であるが、必ずしもその必要はなく、溝状にしても良い。
【０１６２】
雌ネジ穴１２５には第３の回転規制ピン１２６が螺合されている。
【０１６３】
固定体１１６の段差部１１６ａの内壁には、環状溝１２７が設けられている。この環状溝１２７は、上記のように第１の回転規制リング１１７と、第２の回転規制リング１１８を回転体１１２に突き当たるまで挿入した後、それらを固定体１１６の内部に挿入すると、環状溝１２７に第２の回転規制リング１１８に取り付けられた第３の回転規制ピン頭部１２６ａがはまる位置に設けられている。
【０１６４】
環状溝１２７の幅は、第３の回転規制ピン１２６の頭部１２６ａの径よりやや大きいため、第２の回転規制リング１１８は固定体１１６に対しても回動可能となっている。
【０１６５】
本実施の形態では回転規制リングを二つ設けており、これは回転体１１２の回転角を時計方向、反時計方向ともに３６０°以上にするためであるが、片方向に３６０°回転すれば良い場合には回転規制リングは一つであっても良い。
【０１６６】
また三つ以上の回転規制リングを設けて本実施の形態と同等かそれ以上の最大回転角にすることもできる。
【０１６７】
回転規制リングに設けられたＣ字状孔、及び回転規制ピンの数は本実施の形態では一つずつであるが、規制ピンとＣ字状孔がそれぞれ対応してさえいれば複数設けても良い。
【０１６８】
本実施の形態では、図１０において右手方向に全ての回転規制リングが突出しているが、要はＣ字状孔と回転規制ピンがカム構造となって対応していれば良いのであって、左手方向に向かっている回転規制ピンがあっても良い。
【０１６９】
また、回転規制リングにＣ字状孔と回転規制ピンの両方を必ず設ける必要もなく、例えば第１の回転規制リングの雌ネジ穴をＣ字状孔に、第２の回転規制リングのＣ字状孔の代わりに左手方向に突出した回転規制ピンを設けても良い。
【０１７０】
また、本実施の形態では回転規制ピンと、回転体、回転規制リングとは別体になっているが、一体に成形しても良い。
【０１７１】
ストッパ１２８は筒状の部材で、回転体１１２の雌ネジ穴１１２ｅに対応したネジ穴１２８ａを有している。
【０１７２】
ストッパ１２８は、固定体１１６に回転体１１２、第１の回転規制リング１１７、第２の回転規制リング１１８を全て装着した状態で、ネジ穴１２８ａを介してネジ１１９によって回転体１１２に固定される。
【０１７３】
この際にフランジ部１１２ａ、第１の回転規制リング１１７、第２の回転規制リング１１８、固定体１１６の段差部１１６ａとの間に僅かに隙間が開き、上記各部品が回動するのに支障がないようになっている。
【０１７４】
本実施の形態では回転体１１２に対してフランジ部１１２ａが一体となっているが、ストッパ１２８を回転体１１２と一体にして、フランジ部１１２ａを回転体１１２に対して取り付けるようにしても構わない。
【０１７５】
また、第１の回転規制リング１１７のＣ字状孔１２０の端部１２０ａと第１の回転規制リング１１７の中心を結んだ線と、端部１２０ｂと第１の回転規制リング１１７の中心を結んだ線が、２４０°の角度をなすようになっている。
【０１７６】
同様に、第２の規制リング１１８のＣ字状孔１２４、固定体１１６の環状溝１２７の両端部と中心とのなす角度は２４０°になっている。
【０１７７】
これらの組み合わせにより、回転体１１２が時計方向、反時計方向にそれぞれ３６０°ずつの最大回転角を有するようになっている。
【０１７８】
しかし、最大回転角は、３６０°以上で、しかも内蔵物に影響を与えない範疇であれば、どのような値であっても良い。
【０１７９】
さらに、ユニバーサルコードに頻繁に発生するループを完全に除去することで操作性を向上させる内視鏡の第１の実施の形態で述べたように内蔵物への影響が通常２回転くらいまでは問題ないので、最大回転角を７２０°以下に限定しても良い。
【０１８０】
また回転規制リングのＣ字状孔、及び固定体の環状溝の両端と中心とがなす角度は、本実施例では全て２４０°になっているが、最終的に回転体１１２の最大回転角が目的とする角度になれば良いのであって、それぞれの角度を同じにする必要はない。
【０１８１】
また、固定体１０７は図示しないコネクタ本体に接続されており、このコネクタ本体には光源・ポンプ装置、画像処理装置、吸引装置等に接続するためのコネクタが設けられている。
【０１８２】
なおＬＧ蛇管１０１、固定体１１６の内部には、吸引管路、送水管路、送ガス管路、送気管路、ケーブル線、リード線、光伝送用ファイバー束等の内蔵物が配設されており、一端は図示しないコネクタ本体に、他端は内視鏡本体の操作部内部にて固定されているが、図１０では省略してある。
【０１８３】
（作用）
ＬＧ蛇管１０１にその長手軸に対して回転トルクが生じると、ＬＧ蛇管１０１、口金１０２、回転体１１２、ストッパ１２８はネジによりお互い固定されているため、それらが一体となって固定体１１６に対して、その中心軸回りに回転する。
【０１８４】
回転体１１２をＬＧ蛇管１０１に向かって反時計方向に回転させると、フランジ部１１２ａに取り付けられた第１の回転規制ピン頭部１２２ａが第１の回転規制リング１１７のＣ字状孔１２０の端部１２０ａに突き当たる。
【０１８５】
さらに同方向に回転を続けると、第１の回転規制ピン頭部１２２ａが第１の回転規制リング１１７を押し回すことになるので、第１の回転規制リング１１７は回転体１２と一体となって回転する。
【０１８６】
さらに同方向に回転を加えると、第２の回転規制リング１１８のＣ字状孔１２４の端部１２４ａに、回転体１１２と一体に回転している第１の回転規制リング１１７に取り付けられた第２の回転規制ピン頭部１２３ａが突き当たる。
【０１８７】
さらに同方向に回転を続けると、第２の回転規制ピン頭部１２３ａが第２の回転規制リング１１８を押し回すことになるので、第２の回転規制リング１１８は回転体１１２、第１の回転規制リング１１７と一体になって回転する。
【０１８８】
さらに同方向に回転を続けると、固定体１１６の環状溝１２７の端部（図示しない）に、回転体１１２と、第１の回転規制リング１１７と一体となって回転する第２の回転規制リング１１８に取り付けられた第３の回転規制ピン頭部１２６ａが突き当たる。
【０１８９】
固定体１１６はコネクタ本体（図示しない）に固定されているため、これ以上同方向に回転体１１２を回転することはできない。
【０１９０】
反時計方向に回転体１１２を回転する場合にも、上記と同様の作用により最大回転角が規制される。
【０１９１】
最終的には時計側回転、反時計側回転ともに回転体１１２の最大回転角は約３６０°になるようになっている。
【０１９２】
なお回転体１１２の回転に伴って内蔵物の捻れが生じるが、これはユニバーサルコードに頻繁に発生するループを完全に除去することで操作性を向上させる内視鏡の第１の実施の形態に示した通り問題のないレベルのものである。
【０１９３】
（効果）
ユニバーサルコードに頻繁に発生するループを完全に除去することで操作性を向上させる内視鏡の第１の実施の形態の効果に加えて、回転体の回転に併せて口金がＬＧ蛇管１０１の長手方向に前後することがないため、その方向への内蔵物の伸縮を防ぐことができ、内蔵物へのストレスを減少でき耐性が向上する。
【０１９４】
［付記２］
（付記項２−１）
先端に対物光学系を有する長細の挿入部の手元側に連結した本体から延出するコードと、外部装置に対して接続可能な接続手段と、前記接続手段と上記コードを回動自在に接続する回転機構とを有する内視鏡において、
前記回転機構によって前記コードが回転する角度を、中立状態から前記接続手段に向かって時計方向もしくは反時計方向、あるいはその両方向において、少なくとも３６０°以上とする
ことを特徴とする内視鏡。
【０１９５】
（付記項２−２）
前記回転機構によって前記コードが回転する角度を、中立状態から前記接続手段に向かって時計方向もしくは反時計方向、あるいはその両方向において、３６０°以上７２０°以下とした
ことを特徴とする付記項２−１に記載の内視鏡。
【０１９６】
（付記項２−３）
前記回転機構によって前記コードが回転する方向を、中立状態から前記接続手段に向かって時計方向と反時計方向の両方向とし、そのうちの少なくとも一方向において３６０°以上回転可能とした
ことを特徴とする付記項２−１に記載の内視鏡。
【０１９７】
（付記項２−４）
前記回転機構によって前記コードが回転できる最大角度が、前記接続手段に向かって時計方向と反時計方向とで対称である
ことを特徴とする付記項２−３に記載の内視鏡。
【０１９８】
（付記項２−５）
前記回転機構によって前記コードが回転できる最大角度が、前記接続手段に向かって時計方向と反時計方向とで非対称である
ことを特徴とする付記項２−３に記載の内視鏡。
【０１９９】
（付記項２−６）
前記コードが前記接続手段に向かって時計方向に回転できる最大角度より、反時計方向に回転できる最大角度の方を大きくした
ことを特徴とする付記項２−５に記載の内視鏡。
【０２００】
（付記項２−７）
前記回転機構は、
前記コードの他端に取り付けられている回転体と、
前記接続手段に取り付けられているか、もしくは一体となっており、前記回転体を回動可能に接続している固定体と
からなる
ことを特徴とする付記項２−１に記載の内視鏡。
【０２０１】
（付記項２−８）
前記回転体と前記固定体とのそれぞれにお互い螺合可能なネジ部を設けて、それらを螺合することにより接続した
ことを特徴とする付記項２−７に記載の内視鏡。
【０２０２】
（付記項２−９）
前記回転体が前記固定体に対して回転した際に起こる回転軸方向の進退を制限するストッパを、前記回転体、または前記固定体、またはその両者に設けた
ことを特徴とする付記項２−８に記載の内視鏡。
【０２０３】
（付記項２−１０）
前記回転体の進退を制限する前記ストッパを、前記回転体の進退方向に移動可能とした
ことを特徴とする付記項２−９に記載の内視鏡。
【０２０４】
（付記項２−１１）
前記回転体と前記固定体との間に弾性部材を配置し、水密を保った
ことを特徴とする付記項２−７に記載の内視鏡。
【０２０５】
（付記項２−１２）
前記回転機構は、
前記コードの他端に取り付けられている回転体と、
前記接続手段に取り付けられているか、もしくは一体となっている固定体と、前記回転体と前記固定体の間に設けられそれらを接続するとともに、前記回転体と前記固定体のそれぞれに対しある決められた角度まで回転可能な回転規制部材と、
から構成されている
ことを特徴とする付記項２−１に記載の内視鏡。
【０２０６】
（付記項２−１３）
前記回転機構は、
前記コードの他端に取り付けられている回転体と、
前記接続手段に取り付けられているか、もしくは一体となっている固定体と、
前記回転体に接続するとともに、前記回転体に対し決められた角度まで回転可能な第１の回転規制部材と、
前記第１の回転規制部材と前記固定体の間に設けられ、それらを接続するとともに、前記第１の回転規制部材と前記固定体に対しそれぞれ決められた角度まで回転可能な第２の回転規制部材と、
から構成されている
ことを特徴とする付記項２−１に記載の内視鏡。
【０２０７】
（付記項２−１４）
前記回転機構は、
前記コードの他端に取り付けられている回転体と、
前記接続手段に取り付けられているか、もしくは一体となっている固定体と、
前記回転体に接続するとともに、前記回転体に対し決められた角度まで回転可能な第１の回転規制部材と、
前記固定体に接続するとともに、前記固定体に対しそれぞれ決められた角度まで回転可能な第２の回転規制部材と、
前記第１の回転規制部材と前記第２の回転規制部材との間に少なくとも一つ設けられ、前記回転体と前記固定体を接続し、かつ互いに接続する相手に対して相対的にある決められた角度までしか回転できないように制限されている少なくとも一つの回転規制部材接続部材と
から構成されている
ことを特徴とする付記項２−１に記載の内視鏡。
【０２０８】
（付記項２−１５）
前記回転体と前記固定体の間に弾性部材を配置し、水密を保った
ことを特徴とする付記項２−７に記載の内視鏡。
【０２０９】
【発明の効果】
以上説明したように本発明のチャンネル着脱式内視鏡によれば、挿入部側チャンネルの不使用時においては、当該挿入部側チャンネル及び分岐部を内視鏡本体から取り外すことにより、挿入部の外径を無用に大きくせずに体腔内に挿入部を挿入することができ、また、挿入部側チャンネルの使用時においては、処置具による作業と吸引作業とを簡単、かつ確実に行うことができるという効果がある。
【図面の簡単な説明】
【図１】本発明の第１の実施の形態に係るチャンネル着脱式内視鏡の内視鏡本体の構成を示す構成図
【図２】図１の内視鏡本体に着脱自在に接続される挿入部側チャンネルの構成を示す構成図
【図３】図２の挿入部側チャンネルを覆う被覆チューブの構成を示す構成図
【図４】図３の被覆チューブに覆われ内視鏡本体に挿入部側チャンネルを取り付けたチャンネル着脱式内視鏡の構成を示す構成図
【図５】本発明の第２の実施の形態に係るチャンネル着脱式内視鏡の分岐部の構成を示す断面図
【図６】本発明の第３の実施の形態に係るチャンネル着脱式内視鏡の分岐部の構成を示す構成図
【図７】本発明の第４の実施の形態に係るチャンネル着脱式内視鏡の分岐部の構成を示す構成図
【図８】本発明の第５の実施の形態に係るチャンネル着脱式内視鏡の分岐部の構成を示す構成図
【図９】ユニバーサルコードに頻繁に発生するループを完全に除去することで操作性を向上させる内視鏡の第１の実施の形態に係る内視鏡操作部とユニバーサルコードとを接続する接続部の構成を示す構成図
【図１０】ユニバーサルコードに頻繁に発生するループを完全に除去することで操作性を向上させる内視鏡の第２の実施の形態に係る内視鏡操作部とユニバーサルコードとを接続する接続部の構成を示す構成図
【図１１】図１０の回転角規制リングの詳細な構成を示す構成図
【符号の説明】
１…内視鏡本体
２…観察窓
３…先端部
４…湾曲部
５…可撓管
６…挿入部
７…操作部
８…コネクタ
９…ユニバーサルコード
１０…湾曲操作部
１１…ビデオスイッチ
１２…吸引スイッチ
１３…送気・送水スイッチ
１４…粘着部
１５…挿入部側チャンネル
１６…分岐部
１７…第１の分岐管路
１８…挿入部側チャンネル連結部
１９…第２の分岐管路
２０…スリット
２１…第３の分岐管路
２２…ユニバーサルコード側チャンネル
２３…被覆チューブ
２４…吸引びん
２５…第１の中空路
２６…第２の中空路
２７…吸引ポンプ
２８…電磁弁
【図１】
0003771955.tif 000002
【図２】
0003771955.tif 000003
【図３】
0003771955.tif 000004
【図４】
0003771955.tif 000005
【図５】
0003771955.tif 000006
【図６】
0003771955.tif 000007
【図７】
0003771955.tif 000008
【図８】
0003771955.tif 000009
【図９】
0003771955.tif 000010
【図１０】
0003771955.tif 000011
【図１１】
0003771955.tif 000012